(57)【特許請求の範囲】
【請求項１】
スポイト(9) を挿入して内容液を取り出す容器体(5) の口筒部(6) 内に組付けられる弾性を有する軟質材料製のシゴキ中栓(1) であって、前記口筒部(6) に密嵌入する嵌着筒片(3) の内周面に、前記スポイト(9) の吸引管(10)の外周面に突出端縁を弾接させる一対のシゴキ片(2) を対向配置し、該両シゴキ片(2) のそれぞれを、略半周域範囲にわたって螺旋状に突周設し、前記両シゴキ片(2) の一方の下端縁と他方の上端縁との間に、周方向に沿ってわずかな分離間隙(S) を形成して成るスポイト付き容器におけるシゴキ中栓。
【請求項２】
シゴキ片(2) を、突出端に向かって下降傾斜した断面形状とした請求項１記載のスポイト付き容器におけるシゴキ中栓。
【請求項３】
シゴキ片(2) の螺旋方向を、スポイト(9) を組付けたキャップ体(8) の螺条とは逆ネジ方向とした請求項１または２記載のスポイト付き容器におけるシゴキ中栓。
【発明の詳細な説明】
【０００１】
【産業上の利用分野】
本発明は、容器体に収納された内容液を、この容器体に挿入したスポイトにより取り出すスポイト付き容器において、容器体の口筒部内に組付けられ、容器体内に挿入されたスポイトの吸引管外表面に付着した内容液を、スポイトの容器体に対する出入り動作を利用してシゴキ取るシゴキ中栓に関するものである。
【０００２】
【従来の技術】
容器体に収納した内容液を、キャップに組付けたスポイトにより取り出して使用するスポイト付き容器が知られているが、このスポイト付き容器は、キャップの閉状態で、スポイトの吸引管が内容液中に浸かった状態となるため、吸引管外表面に多量の内容液が付着した状態でスポイトが容器体内から抜き出されることになり、このためスポイトの吸引管外表面に付着した内容液の不都合な垂れ落ちが発生するばかりでなく、容器体の口筒部に付着して、汚れの発生原因となると共に、キャップによる容器体の開閉を不良とすると云う不都合があった。
【０００３】
この不都合を解消する従来技術の代表的なものとして、実公平４−２３８１９号公報に開示された技術は、内容液を収納した容器本体の挿入口部の内周に、内容液が容器本体内に移動し得る形成間隔を介して、環状の接触環を固定突出し、この接触環内を介してスポイトの吸引管を出入し得るように形成している。
【０００４】
この上記した従来技術にあっては、接触環の内周面をスポイトの吸引管の外表面に接触させた状態で、スポイトの容器本体に対する出入りを行うことにより、スポイトの吸引管外表面に付着した内容液を、接触環によりシゴキ落とし、もって吸引管外表面に付着した内容液の不都合な垂れ落ちの発生を防止すると共に、内容液が容器本体の挿入口部に不正に付着することが発生し難くすることができると云う利点を発揮する。
【０００５】
【発明が解決しようとする課題】
しかしながら、上記従来技術にあっては、付着した内容液をシゴキ取る接触環が単純な円筒構造を基本としたものであるため、シゴキ取られた内容液は、接触環の下端縁全域に略均一に付着分布することになり、このためシゴキ取られた内容液の接触環から容器本体内への滴下還流が円滑に達成されず、多量の内容液が接触環に付着残存して、短期間の内に、接触環によるシゴキ能力を著しく低下させると云う問題があった。
【０００６】
また、接触環は、単純な円筒構造をその基本構造としているので、シゴキ取った内容液が接触環とスポイトの吸引管との間に滞留し易く、この内容液が接触環と吸引管との間に滞留することにより、接触環の内容液シゴキ能力を充分に発揮させることができなくなると云う問題があった。
【０００７】
さらに、接触環は、容器本体の挿入口部内に密嵌入される中栓の一部として構成されることになるが、接触環を一体に設けた中栓を軟質合成樹脂材料等で射出成形する場合、接触環が或る程度の高さを有する直線円筒形状を基本構造としているため、射出成形品である中栓の金型からの型抜きを円滑に達成することが難しいと云う問題があった。
【０００８】
そこで、本発明は、上記した従来技術における問題点を解消すべく創案されたもので、内容液の高いシゴキ能力を安定して発揮すると共に、構造的に円滑で安定した離型動作を得ることを技術的課題とし、もって内容液の不都合な垂れ落ちとか容器体の口筒部に対する不都合な付着をなくして、良好な使用状態を得ることができると共に、安全で効率の良い成形操作を得ることを目的とする。
【０００９】
【課題を解決するための手段】
上記課題を解決する本発明の構造手段は、
スポイトを挿入して内容液を取り出す容器体の口筒部内に組付けられる弾性を有する軟質材料製のシゴキ中栓であること、
容器体の口筒部に密嵌入する嵌着筒片の内周面に、スポイトの吸引管の外周面に突出端縁を弾接させる一対のシゴキ片を対向配置すること、
両シゴキ片のそれぞれを、略半周域範囲にわたって螺旋状に突周設すること、
両シゴキ片の一方の下端縁と他方の上端縁との間に、周方向に沿ってわずかな分離間隙を形成すること、
にある。
【００１０】
シゴキ片を、突出端に向かって下降傾斜した断面形状とするのが良い。
【００１１】
シゴキ片の螺旋方向を、スポイトを組付けたキャップ体の螺条とは逆ネジ方向とするのが有効である。
【００１２】
【作用】
容器体の口筒部からスポイト付きキャップを螺脱して、スポイトの吸引管を容器体内から引き出す際に、この吸引管の外周面に付着した内容液を、シゴキ中栓のシゴキ片によりシゴキ落として容器体内に還流させる。
【００１３】
スポイトの吸引管の容器体内からの引き出し時に、この吸引管の外周面に付着している内容液をシゴキ落とすシゴキ片は、突出端縁を吸引管外周面に弾接させているので、吸引管外周面に対して線接触状態で弾接することになり、このためその吸引管外周面に対する弾接状態が、吸引管外周面とシゴキ片突出端縁との間への内容液の多量な侵入により劣化すると云う不都合が発生し難くなる。
【００１４】
略半周域範囲にわたって螺旋状に周設された一対のシゴキ片が対向配置されているので、分離間隙が対向する箇所を除いて、スポイトの吸引管の外周面略全周にわたってシゴキ片が弾性することになり、これにより両シゴキ片による吸引管外周面略全周のシゴキが達成されることになり、また各シゴキ片は螺旋状、すなわち周方向に沿って傾斜した姿勢で周設されているので、シゴキ取られてシゴキ片に付着した内容液は、傾斜に従って速やかにシゴキ片の下端縁に流下し、そのままこのシゴキ片の下端縁から容器体内に滴下還流する。
【００１５】
両シゴキ片の上下両端縁間には、周方向に沿ってわずかな分離間隙が形成されているので、嵌着筒片の内周面には、その中心軸に沿った方向、すなわちシゴキ中栓を成形する金型の型開き方向に沿って、シゴキ片に邪魔されることなく通過することのできる隙間を分離間隙が形成することになり、これにより射出成形品であるシゴキ中栓を、その成形金型からの型抜きが容易に達成できるものとするのが簡単となる。
【００１６】
シゴキ片を、突出端に向かって下降傾斜した断面形状とすることにより、シゴキ取った内容液が、吸引管とシゴキ片との弾接箇所付近に滞留することなく、速やかに流下離反することになる。
【００１７】
シゴキ片の螺旋方向を、容器体の口筒部に螺合するスポイト付きキャップの螺条とは逆ネジ方向に設定することにより、容器体に対してキャップを螺脱方向に回動させながら引き上げると、相対的に回転しながら上昇するスポイトの吸引管の外周面に対して、各シゴキ片は、実際の周方向長さよりも大きい周方向長さで対向することなり、これにより吸引管の外周面の周方向全域にシゴキ片の突出端縁を弾接させることになる。
【００１８】
【実施例】
以下、本発明の実施例を、図１ないし図３を参照しながら説明する。
図１は、本発明によるシゴキ中栓１を組付けたスポイト付き容器の閉状態における要部半縦断した正面図を示すもので、シゴキ中栓１は、壜体状の容器体５の口筒部６内に密に嵌入組付けされている。
【００１９】
シゴキ中栓１を組付けた容器体５の口筒部６には、スポイト付きキャップ７が着脱自在に螺合組付けされており、このスポイト付きキャップ７は、周壁内周面に螺条を刻設した有頂円筒形状をしたキャップ体８に、吸引管１０と、この吸引管１０の上端に組付けられた軟質弾性材料製の吸引頭部１１とから構成されるスポイト９を、その吸引頭部１１をキャップ体８の頂壁から突出させた状態で組付けて構成されている。
【００２０】
ＬＬＤＰＥ（低圧低密度ポリエチレン）等の弾性を有する軟質材料で成形されたシゴキ中栓１は、容器体５の口筒部６内に密嵌入する円筒形状をした嵌着筒片３の内周面に一対のシゴキ片２を突周設すると共に、嵌着筒片３の上端から、シゴキ中栓１の口筒部６に対する嵌装組付け限を設定する外鍔状の上鍔片４を周設して構成されている。
【００２１】
両シゴキ片２は、嵌着筒片３の内周面の略半周域にわたって螺旋状に周設されており、その螺旋方向は、キャップ体８の螺条とは逆ネジ方向となっている。
【００２２】
一方のシゴキ片２の上端縁と他方のシゴキ片２の下端縁との間には、周方向に沿って型抜きを可能とするわずかな分離間隙Ｓ（図３参照）が形成されている。
【００２３】
なお、シゴキ片２を周設した嵌着筒片３の内周面は、シゴキ片２を境として上部と下部とに分けられ、それぞれにわずかな抜きテーパが与えられている。
【００２４】
図４は、本発明の他の実施例を示すもので、シゴキ片２を、突出端に向かって下降傾斜した断面形状に構成したもので、吸引管１０の外周面に弾接したシゴキ片２のシゴキ側である下側面が、吸引管１０の外周面に対して鈍角姿勢となるので、シゴキ取られた内容液がシゴキ片２の下側面に付着滞留し難くなり、速やかに流下する。
【００２５】
このため、吸引管１０の外周面に弾接しているシゴキ片２の突出端付近に多量の内容液が溜まり、この溜まった内容液が吸引管１０とシゴキ片２との間に侵入して、シゴキ片２のシゴキ能力を低下させると云う不都合の発生を確実に防止できることになる。
【００２６】
【発明の効果】
本発明は、上記した構成となっているので、以下に示す効果を奏する。
スポイト外表面に付着した内容液をシゴキ取るシゴキ片を、周方向に螺旋状に周設したので、シゴキ取られた内容液は、周方向に傾斜しているシゴキ片に導かれて、速やかにシゴキ片の下端部に流下集中し、そこから容器体内に滴下還流するので、シゴキ取られた内容液の容器体内への滴下還流が円滑にかつ速やかにそして確実に達成される。
【００２７】
円筒形状をした嵌着筒片の内周面に突設された一対のシゴキ片は、互いの上端縁と下端縁との間に周方向に沿ったわずかな分離間隙を設けて、型抜き方向に互いに重なり合うことがない構造となっているので、円滑で安定した型抜きを得ることができ、これによりシゴキ中栓を安全にかつ効率良く成形処理することができる。
【００２８】
シゴキ片は、その突出端縁をスポイト外表面に弾接させ、かつシゴキ片自体が突出端に向かって下降傾斜した断面形状に構成することにより、シゴキ片によりスポイト外表面からシゴキ取られた内容液が、このシゴキ片とスポイト外表面との弾接付近に滞留することがなく、これによりシゴキ片によるスポイト外表面に付着した内容液のシゴキ能力を、長期間にわたって安定してかつ強力にそして確実に発揮させることができる。
【００２９】
両シゴキ片の螺旋方向を、キャップの螺条に対して逆ネジ方向に設定することにより、スポイト外表面に弾接する周方向に沿った長さを実質的に増大させることが可能となり、これにより分離間隙を設けたにもかかわらず、シゴキ片をスポイト外表面全周範囲に弾接させることができ、スポイト外表面に付着した内容液のより完全なシゴキ取りを得ることが可能となる。
【図面の簡単な説明】
【図１】本発明の一実施例を組付けたスポイト付き容器の、要部半縦断正面図。
【図２】図１に示した本発明の実施例の、全体縦断正面図。
【図３】図１に示した本発明の実施例の、全体平面図。
【図４】本発明の他の実施例を示す、全体縦断正面図。
【符号の説明】
１  ；  シゴキ中栓
２  ；  シゴキ片
３  ；  嵌着筒片
４  ；  上鍔片
５  ；  容器体
６  ；  口筒部
７  ；  スポイト付きキャップ
８  ；  キャップ体
９  ；  スポイト
１０；  吸引管
１１；  吸引頭部
Ｓ  ；  分離間隙
【図１】
0003646177.tif 000002
【図２】
0003646177.tif 000003
【図３】
0003646177.tif 000004
【図４】
0003646177.tif 000005